(57)【特許請求の範囲】
【請求項１】
地図情報及び地名情報が記憶された記憶手段と、
前記記憶手段に記憶された地図情報を表示する手段と、
階層構造の地名情報を記憶する地名情報記憶手段と、
ユーザが地図上で所望のカーソル位置を指定し、該指定された位置に対応する階層構造の地名情報を所定の階層毎に並べて表示し、目的地として設定可能な地名情報設定手段と、
前記階層毎に並べて表示された地名情報の各階層の項目の少なくともいずれかの項目が修正された場合には、修正された地名情報に対応する位置を目的地として設定可能な修正手段と、
を具備するナビゲーション装置。
【請求項２】
前記修正可能な項目は、少なくとも都道府県名、市町村名、字名のいずれか１項目であることを特徴とする、請求項１のナビゲーション装置。
【発明の詳細な説明】
【０００１】
【発明の属する技術分野】
本発明はナビゲーション装置に係わり、特に、目的地設定時の設定操作を簡略化することの可能なナビゲーション装置に関する。
【０００２】
【従来の技術】
近年、自動車の運転を容易にするために出発地から目的地までの経路をディスプレイ上に表示するナビゲーション装置が実用化されている。
現在実用化されているナビゲーション装置は、任意の縮尺の地図をディスプレイに表示する地図表示モード、現在地から目的地までの経路を探索する経路探索モード、および走行中に経路探索モードで探索された経路にそって案内情報を提供する案内モードの３つの動作モードを有する場合が多い。
【０００３】
そして、メニュー画面から経路探索モードを選択すると、最初に目的地を設定するために目的地設定フォームが表示されるが、目的地設定フォームには「都道府県」名、「市町村」名、「字」名の入力欄があり、それぞれの欄を全て記入しなければ経路探索が正常になされない。
【０００４】
【発明が解決しようとする課題】
しかしながら、目的地設定フォームを正確に記入するにはディスプレイ上に表示された仮名を順次選択する等して入力する必要があり相当の労力を要する。
経路探索モードを選択する前に地図表示モードを選択して目的地の位置を確認する場合も多いが、その結果を経路探索モードに反映することができないものも多い。
【０００５】
即ち、ナビゲーション装置用の読み出し専用記憶媒体（例えばＣＤ−ＲＯＭ）には地図表示するための図形データの他にその図形データに対応する文字データも記憶されている。従って、地図表示モードを選択して目的地の位置を確認したときには地図上のカーソル位置の「都道府県」名、「市町村」名、および「字」名等の文字データを読み出すことは可能であるものの、この文字データを目的地設定フォームに反映することはできなかった。
【０００６】
本発明は上記課題に鑑みなされたものであって、目的地設定時の設定操作を簡略化することの可能なナビゲーション装置を提供することを目的とする。
【０００７】
【課題を解決するための手段】
本発明のナビゲーション装置は、地図情報及び地名情報が記憶された記憶手段と、
前記記憶手段に記憶された地図情報を表示する手段と、ユーザが地図上で指定した所望のカーソル位置に対応する地名情報を記憶する地名情報記憶手段と、該記憶された位置に対応する地名情報を所定の項目毎に並べて表示し、目的地の地名情報として設定可能な地名情報設定手段と、前記表示された項目の少なくともいずれかの項目の地名情報が修正された場合には、修正された地名情報に対応する位置を目的地として設定可能な修正手段と、を具備している。
【０００８】
また、本発明によれば、前記修正可能な項目として、少なくとも都道府県名、市町村名、字名のいずれか１項目を有している。
【０００９】
本発明にあっては、表示手段が２分割され、一方の表示で地図上で目的地が探索され、他方の表示で一方に表示された地図の地名情報が目的地の地名情報として設定される。
【００１０】
【発明の実施の形態】
図１は本発明に係るナビゲーション装置の構成図であって、ナビゲーションコンピュータ１０を中心として構成される。
即ち、ＧＰＳ（Grobal Positioning System ）衛星（図示せず）から伝送されてくる情報はナビゲーションアンテナ１１およびナビゲーションレシーバ１２を介してナビゲーションコンピュータ１０に入力される。
【００１１】
また、地磁気センサ、角速度センサ、操舵角センサ等で構成される方位を検出するための方位センサ１３の出力、および自動車の速度を検出するスピードセンサ１４の出力もナビゲーションコンピュータ１０に入力される。
さらに、ＣＤ−ＲＯＭ１５に記録された地図および地名情報はＣＤ−ＲＯＭプレイヤ１６で再生されてナビゲーションコンピュータ１０に入力される。
【００１２】
ナビゲーションコンピュータ１０から出力される案内情報は、視覚情報としてディスプレイ１７に表示されるとともに音声情報としてスピーカ１８から出力される。
なお、ナビゲーション装置の動作は付属のリモートコントローラ１９、ディスプレイ上に設けられたタッチパネル、あるいはナビゲーション装置本体に設けられた操作スイッチ等によって制御される。
【００１３】
図２はナビゲーション装置の搭載例であって、ナビゲーションコンピュータ１０、ナビゲーションレシーバ１２、ＣＤ−ＲＯＭ１５およびＣＤ−ＲＯＭプレイヤ１６はトランクルームに搭載される。
スピードセンサ１４は前輪に、ナビゲーションアンテナ１１はインスツルメントパネル上部に、方位センサ１３はリヤウインド付近に搭載される。
【００１４】
さらに、ディスプレイ１７はインスツルメントパネル内に、スピーカ１８は運転者側のドア内に収納・搭載される。なお、搭載位置はこれに限定されるものではない。
図３はナビゲーション装置の動作を制御するためのリモートコントローラ１９の上面図であって、「メニュー／戻る」スイッチ１９１はメニュー画面あるいは前の画面に戻ることを指令するためのスイッチである。
【００１５】
「広域／詳細」ツマミ１９２はスイッチを左右に回転させることにより、ディスプレイ２７に表示されている地図の縮尺を変更することができる。
「決定」キー１９３は前後左右に倒すことによってディスプレイ１７に表示されているカーソルの位置を移動させることができるだけでなく、まっすぐ押下すことによりナビゲーションコンピュータ１０への入力を確定することができる。
【００１６】
「現在地」スイッチ１９４はディスプレイ１７に表示されている地図上に自車の現在地を表示する。
なお、「画面スイッチ」１９５は表示画面のメニューを表示するためのスイッチであり、「取り外し」スイッチ１９６はリモートコントローラ１９をホルダ（図示せず）から取り外すためのスイッチである。
【００１７】
図４は本発明に係るナビゲーション装置で実行される地図表示ルーチンのフローチャートであって、メニューにおいて「地図表示モード」が選択されたときに実行される。
ステップ４０でディスプレイ１７にその時点で有効な縮尺の地図を表示する（図５参照）。
【００１８】
ステップ４１でユーザによる決定キーを上下左右に倒す操作に応じてカーソル位置を変更し、ステップ４２で地図上のカーソル位置を読み取る。
ステップ４３でカーソルによって特定される地図上の位置に対応する「都道府県」名、「市町村」名、「字」名等の地名データを記憶する。
ステップ４４で「広域／詳細ツマミ」によって拡大地図表示が要求されたかを判定し、肯定判定されたときはステップ４５で拡大地図を表示してステップ４１に戻る。
【００１９】
ステップ４４で否定判定されたときは、選択された縮尺の図を表示したままこのルーチンを終了する（図６参照）。
例えば、図５に示すように「地図表示モード」が選択されたときに、大阪市中心部にカーソルが存在する関西地方の地図が表示されているものとする。
目的地が京都府内であるときには、図６に示すように「決定」キー１９３を上下左右に倒してカーソルを京都府方向に移動させる。なお、本実施形態では地図表示モード上のカーソル位置を常に記憶して更新するようにしたが、地点登録操作時の位置、目的地設定モード選択時の位置を記憶するようにしてもよい。
【００２０】
このとき、カーソルが「京都府△△△市○○○町○番地」上にあったとすると、「都道府県」名としては「京都府」が、「市町村」名としては「△△△市」が、「字」名としては「○○○町○番地」が記憶される。
図７は本発明に係るナビゲーション装置で実行される目的地設定ルーチンのフローチャートであって、メニューや地図表示モード時に表示されている目的地設定スイッチ等において「目的地設定モード」が選択操作されたときに実行される。
【００２１】
ステップ７０でディスプレイ１７に目的地設定用フォーマットが表示される。例えば「都道府県」名、「市町村」名、「字」名の３種類の項目が表示される。
そしてステップ７１で地図表示ルーチンのステップ４３で記憶された地名データを読み出し、ステップ７２で文字データに基づいて目的地設定用フォーマットの「都道府県」名、「市町村」名、「字」名を記入する（図８参照）。なお、文字データの目的地設定用フォーマットへの記入は目的地設定用フォーマットが表示されたときに自動的に記入してもよく、またディスプレイ１７に入力用のスイッチを表示し、このスイッチが選択操作された時に記入するようにしてもよい。
【００２２】
ステップ７３で記入された目的地設定用フォーマットに修正があるかを判定し、肯定判定された場合、即ち修正がある場合はステップ７４で例えば「市町村」名および「字」名を修正してステップ７５に進む（図１０参照）。
逆に、ステップ７３で否定判定された場合、即ち修正がない場合は直接ステップ７５に進む。
【００２３】
ステップ７５でディスプレイ１７に表示された「ＯＫ探す」が選択されたときには、ステップ７６で最終的に目的地設定用フォーマットに記入された「都道府県」名、「市町村」名、「字」名で特定される場所がカーソルにより指示された地図を表示してこのルーチンを終了する（図１１参照）。
前記の例の場合についてさらに説明すると、目的地設定用フォーマットが表示された後、図８に示すように「都道府県」名には「京都府」が、「市町村」名には「△△△市」が、「字」名には「○○○町○番地」が記入される。
【００２４】
ここで「市町村」名に修正が必要であるときは、図８に示すような変更スイッチを操作することにより、図９に示すように修正カーソル８１で「市町村」名を選択して、図１０に示すように「△△△市」を「□□□市」に修正する。さらに、「字」名について修正が必要であるときは、修正カーソル８１で「字」名を選択して「○○○町○番地」を「×××町※番地」に修正する。なお、目的地設定用フォーマットの各項目の修正方法は、選択された各項目に対応する修正用キー（５０音キー、テンキー等）をディスプレイ１７の一部に表示して修正を行う。なお、修正方法はこの方法に限定されるものではなく、変更スイッチを設けず、目的地設定用フォーマットに文字データが記入されたときに修正用カーソルを表示する、修正用カーソルにより修正項目を選択した後、さらにカーソルにより各項目内の修正箇所を選択するようにする等、適宜変更可能なことはいうまでもない。
【００２５】
最後に、図１１に示すように「京都市□□□市×××町※番地」がカーソル位置となる詳細地図が表示される。
図１２は本発明に係るナビゲーション装置の動作説明図であって、地図表示ルーチン４のステップ４３で記憶されたカーソル位置情報はいったんナビゲーションコンピュータ１０内のカーソル位置情報記憶部６に記憶される。
【００２６】
そして目的地設定ルーチン７で目的地を設定する際には、まずカーソル位置情報記憶部６に記憶されているカーソル位置情報が目的地の地名情報として設定される。
さらに、ディスプレイ１７を半分に区切って一方を地図表示モードで、他方を目的地設定モードで運用し、目的地を地図で確認しながら目的地設定用フォーマットを記入することも可能である。
【００２７】
例えば図５に示すように地図表示モード選択時表示がなされているときに、ディスプレイ１７の左半面を目的地設定モードとすると、図１３に示す２モード表示となる。すると目的地設定フォーマット中には地図上のカーソル位置（例えば「都道府県」名として「大阪府」が、「市町村」名として「▲▲市」が、「字」名として「●●町●番地」が記入される。
【００２８】
次に図１４に示すようにカーソルを目的地である京都府に向けて動かすと、カーソルの動きに供ってフォーマットに記入された地名データが更新される。
そしてカーソルが目的地近傍に移動させるとフォーマット内に「京都府△△△市○○○町○番地」が記入される。そして、決定スイッチの操作やメニュー等による「目的地設定モード」の選択操作がなされると目的地設定モードに移行する。次にフォーマット内の「市町村」名および「字」名を修正すると、修正に応じてカーソルが移動する（図１５参照）。
【００２９】
修正終了後「ＯＫ探す」を操作すると目的設定フォーマットは消え、目的位置上にカーソルを有する地図がディスプレイ１７上に表示される（図１１参照）。
【００３０】
【発明の効果】
第１の発明によれば、目的地設定時の設定を簡略化することが可能となる。
第２の発明によれば、目的地の探索と、目的地の設定を同時に行うことが可能となる。
【図面の簡単な説明】
【図１】本発明に係るナビゲーション装置の構成図である。
【図２】ナビゲーション装置の搭載例である。
【図３】リモートコントローラの上面図である。
【図４】地図表示ルーチンのフローチャートである。
【図５】地図表示モード選択時表示である。
【図６】カーソル移動後表示である。
【図７】目的地設定ルーチンのフローチャートである。
【図８】地名データの記入された目的地設定フォーマットである。
【図９】修正カーソルにより選択された目的地設定フォーマットである。
【図１０】修正された目的地設定フォーマットである。
【図１１】目的地指示表示である。
【図１２】本発明に係るナビゲーション装置の動作説明図である。
【図１３】２モード表示移行後の表示である。
【図１４】カーソル移動後の２モード表示である。
【図１５】地名情報修正後の２モード表示である。
【符号の説明】
１０…ナビゲーションコンピュータ
１１…ナビゲーションアンテナ
１２…ナビゲーションレシーバ
１３…磁場センサ
１４…スピードセンサ
１５…ＣＤ−ＲＯＭ
１６…ＣＤ−ＲＯＭプレイヤ
１７…ディスプレイ
１８…スピーカ
１９…リモートコントローラ
【図１】
0003758880.tif 000002
【図２】
0003758880.tif 000003
【図３】
0003758880.tif 000004
【図４】
0003758880.tif 000005
【図５】
0003758880.tif 000006
【図６】
0003758880.tif 000007
【図７】
0003758880.tif 000008
【図８】
0003758880.tif 000009
【図９】
0003758880.tif 000010
【図１０】
0003758880.tif 000011
【図１１】
0003758880.tif 000012
【図１２】
0003758880.tif 000013
【図１３】
0003758880.tif 000014
【図１４】
0003758880.tif 000015
【図１５】
0003758880.tif 000016